(57)【特許請求の範囲】
【請求項１】
複数のトップドライヤドラムと複数のボトムドライヤドラムを上下２段に配列し、トップドライヤドラムとボトムドライヤドラムにエンドレスのキャンバスを交互に掛け回すように当接配置し、湿紙を、トップドライヤドラム及びボトムドライヤドラムとキャンバスとの間を順次通しながら掛け回して搬送するようにしてあるシングルキャンバスドライヤにおける上記キャンバスを撤去した後、上記トップドライヤドラムに保持させるようにしたドラム軸方向に延びるベースフレームと、該ベースフレームにドラム軸方向と上下方向へ移動できるようにドラム軸方向に配列して下向きに組み付けた複数のドリルとを備えた構成を有する穿孔装置を用いることにより、上記ボトムドライヤドラムの周壁部に多数の孔を穿設して、該ボトムドライヤドラムをサクションロールとすることを特徴とするシングルキャンバスドライヤの改造方法。
【請求項２】
複数のトップドライヤドラムと複数のボトムドライヤドラムを上下２段に配列し、トップドライヤドラムとボトムドライヤドラムにエンドレスのキャンバスを交互に掛け回すように当接配置し、湿紙を、トップドライヤドラム及びボトムドライヤドラムとキャンバスとの間を順次通しながら掛け回して搬送するようにしてあるシングルキャンバスドライヤにおける上記キャンバスを撤去した後、上記トップドライヤドラムに保持させるようにしたドラム軸方向に延びるベースフレームと、該ベースフレームにドラム軸方向と上下方向へ移動できるようにドラム軸方向に配列して下向きに組み付けた複数のドリルとを備えた構成を有する穿孔装置を用いることにより、上記ボトムドライヤドラムの周壁部に多数の孔を穿設して、該ボトムドライヤドラムをサクションロールとするようにし、上記周壁部に多数の孔を穿設した後のボトムドライヤドラムの上部位置に、スタビライザを取り付けるようにすることを特徴とするシングルキャンバスドライヤの改造方法。
【請求項３】
複数のトップドライヤドラムと複数のボトムドライヤドラムを上下２段に配列し、トップドライヤドラムとボトムドライヤドラムにエンドレスのキャンバスを交互に掛け回すように当接配置し、湿紙を、トップドライヤドラム及びボトムドライヤドラムとキャンバスとの間を順次通しながら掛け回して搬送するようにしてあるシングルキャンバスドライヤにおける上記トップドライヤドラムに保持させるようにしたドラム軸方向に延びるベースフレームと、該ベースフレームにドラム軸方向と上下方向へ移動できるようにドラム軸方向に配列して下向きに組み付けた複数のドリルとを備えた構成を有することを特徴とする穿孔装置。
【発明の詳細な説明】
【０００１】
【発明の属する技術分野】
本発明は抄紙機で用いられているシングルキャンバスドライヤの改造方法及び該改造方法の実施に用いる穿孔装置に関するものである。
【０００２】
【従来の技術】
抄紙機では、湿紙がプレスパートを過ぎた後に保有する水分は６０〜７０％であるが、それ以上の水分を圧搾により機械的に取り除くことは困難であるため、プレスパートの次にドライヤパートを配置し、加熱乾燥によって脱水を行うようにしている。
【０００３】
抄紙機における従来のドライヤパートで用いられているドライヤとしては、図３にその一例の概略を示す如きシングルキャンバスドライヤが知られている。すなわち、複数のトップドライヤドラム１と複数のボトムドライヤドラム２を上下２段に配列し、且つ上段の複数のトップドライヤドラム１と下段の複数のボトムドライヤドラム２に、エンドレスのキャンバス３を交互に掛け回すように当接配置し、プレスパートを通過してきた紙（湿紙）４をトップドライヤドラム１及びボトムドライヤドラム２とキャンバス３との間を順次通しながら掛け回して紙搬送方向へ誘導すると同時に各ドライヤドラム１，２に押し当てて乾燥させるようにしてある。なお、５はガイドローラ、６はストレッチローラを示す。
【０００４】
上記シングルキャンバスドライヤにおいては、乾燥能力を向上させるために、ボトムドライヤドラム２に代えて、小径のサクションロールを用いるようにする場合がある。
【０００５】
【発明が解決しようとする課題】
ところが、新しいサクションロールを取り付ける場合には、既設のボトムドライヤドラム２を撤去した後に取り付けを行わなければならないので、現地工事費が莫大になる問題がある。
【０００６】
そこで、本発明は、シングルキャンバスドライヤにおいて、ボトムドライヤドラムにサクションロールの機能をもたせるようにボトムドライヤドラムを改造することにより、莫大な現地工事費をかけることなく乾燥能力を向上させることができるようにしようとするものである。
【０００７】
【課題を解決するための手段】
本発明は、上記課題を解決するために、複数のトップドライヤドラムと複数のボトムドライヤドラムを上下２段に配列し、トップドライヤドラムとボトムドライヤドラムにエンドレスのキャンバスを交互に掛け回すように当接配置し、湿紙を、トップドライヤドラム及びボトムドライヤドラムとキャンバスとの間を順次通しながら掛け回して搬送するようにしてあるシングルキャンバスドライヤにおける上記キャンバスを撤去した後、上記トップドライヤドラムに保持させるようにしたドラム軸方向に延びるベースフレームと、該ベースフレームにドラム軸方向と上下方向へ移動できるようにドラム軸方向に配列して下向きに組み付けた複数のドリルとを備えた構成を有する穿孔装置を用いることにより、上記ボトムドライヤドラムの周壁部に多数の孔を穿設して、該ボトムドライヤドラムをサクションロールとするシングルキャンバスドライヤの改造方法とする。
【０００８】
トップドライヤドラムに保持させるようにしたドラム軸方向に延びるベースフレームと、該ベースフレームにドラム軸方向と上下方向へ移動できるようにドラム軸方向に配列して下向きに組み付けた複数のドリルとを備えた構成を有する穿孔装置を用いて、ボトムドライヤドラムに孔をあけてボトムドライヤをサクションロールとすることから、ボトムドライヤドラムの撤去や新しいサクションロールの取り付けが不要となり、現地工事費を大幅に削減できることになる。
【０００９】
又、上記シングルキャンバスドライヤの改造方法における周壁部に多数の孔を穿設した後のボトムドライヤドラムの上部位置に、スタビライザを取り付けるようにすることによって、高速安定性が得られるので、紙のフラッタリングが防止される。
【００１０】
更に、複数のトップドライヤドラムと複数のボトムドライヤドラムを上下２段に配列し、トップドライヤドラムとボトムドライヤドラムにエンドレスのキャンバスを交互に掛け回すように当接配置し、湿紙を、トップドライヤドラム及びボトムドライヤドラムとキャンバスとの間を順次通しながら掛け回して搬送するようにしてあるシングルキャンバスドライヤにおける上記トップドライヤドラムに保持させるようにしたドラム軸方向に延びるベースフレームと、該ベースフレームにドラム軸方向と上下方向へ移動できるようにドラム軸方向に配列して下向きに組み付けた複数のドリルとを備えた構成を有する穿孔装置を用いることにより、穿孔作業を能率よく行うことができる。
【００１１】
【発明の実施の形態】
以下、本発明の実施の形態を図面を参照して説明する。
【００１２】
図１（イ）（ロ）（ハ）は本発明のシングルキャンバスドライヤの改造方法の概要を示すもので、穿孔装置７を用いて改造工事を行うようにする。
【００１３】
上記穿孔装置７は図２に拡大して示す如く、キャンバス３を取り外した後のトップドライヤドラム１の側面部に取付バンド８及び押えボルト９によって抱き付かせるように保持させるようにしたドラム軸方向に延びるベースフレーム１０と、該ベースフレーム１０の表面にドラム軸方向に沿って平行に取り付けた摺動用ガイド１１及びラック１２と、上記摺動用ガイド１１に係合支持させるようにした架台フレーム１３と、該架台フレーム１３を摺動用ガイド１１に沿わせて摺動させるように上記ラック１２に噛合させたピニオン１４を駆動するギヤードモータ１５と、上記架台フレーム１３の表面に上下方向に沿って平行に取り付けた昇降用ガイド１６及びラック１７と、架台フレーム１３から下方へ所要長さだけ突出する上記昇降用ガイド１６の下端をボトムドライヤドラム２上に定置させるようにする支持台１８と、上記昇降用ガイド１６に係合支持させるようにしたドリル台１９と、該ドリル台１９を昇降用ガイド１６に沿わせて昇降させるように上記ラック１７に噛合させたピニオン２０を駆動するギヤードモータ２１と、ドラム軸方向に並ぶ配列として上記ドリル台１９に下向きに組み付けた複数のドリル（ガンドリル）２２と、これらドリル２２を駆動するモータ２３と、ドリル２２による穿孔作業時に発生したキリ粉を吸引するようにした吸引パイプ２４とからなる構成としてある。
【００１４】
かかる構成とした穿孔装置７を用いて改造工事を行う場合は、図３に示したと同様な構成としてあるシングルキャンバスドライヤにおいて、先ず、図１（イ）に示す如く、キャンバス３を取り外した状態として、穿孔装置７をセットする。この場合、ベースフレーム１０を、改造対象となるボトムドライヤドラム２の直近上方に位置するトップドライヤドラム１の横に、取付バンド８と押えボルト９を用いて抱き付かせるように取り付け、且つ支持台１８がボトムドライヤドラム２の上面に当接配置されるように、トップドライヤドラム１又はボトムドライヤドラム２を上下方向に移動調整させるようにする。又、この際、図２に示す如く、予め、架台フレーム１３をベースフレーム１０の長手方向の一端部に位置させておくようにする。
【００１５】
上記の状態において、並列配置された各ドリル２２をモータ２３で回転させながら、ギヤードモータ２１を駆動してラック１７に噛合しているピニオン２０を回転させることにより、ドリル台１９を下降させてドリル２２を下降させるようにする。これにより、ボトムドライヤドラム２の周壁部の一個所に複数の孔２５が並べて穿設される。
【００１６】
上記の穿孔作業を、ボトムドライヤドラム２を周方向へ所要角度宛回転させて割り出しながら行い、更に、ギヤードモータ１５の駆動でラック１２に噛合しているピニオン１４を回転させることにより、架台フレーム１３をドラム軸方向へ移動位置させて同様に行うようにし、これにより、図１（ロ）に示す如く、ボトムドライヤドラム２の周壁部の全周及び全長に亘り多数の孔２５を穿設する。
【００１７】
次に、穿孔作業終了後の上記ボトムドライヤドラム２に、サクションロールとして使用するために必要な機能部品を組み付けた後、図１（ハ）に示す如く、スタビライザ２６を取り付ける。使用に際しては、図３に示したシングルキャンバスドライヤの場合と同様にキャンバス３を掛け回せばよい。
【００１８】
このように、本発明においては、ボトムドライヤドラム２に多数の孔２５をあけてボトムドライヤドラム２自体をサクションロールに改造することから、ボトムドライヤドラム２の撤去や新しいサクションロールの取り付けを不要とすることができる。又、孔あけ後のボトムドライヤドラム２にスタビライザ２６を取り付けるようにすることから、高速運転時の安定化を図ることができる。更に、上記孔あけには、トップドライヤドラム１に取り付けることができるようにした穿孔装置７を用いるようにしたので、能率よく改造作業を行うことができる。
【００１９】
なお、本発明は、上記実施の形態にのみ限定されるものではなく、たとえば、穿孔装置７としては、トップドライヤドラム１に全体を保持させることができて、ドリル２２をドラム軸方向と上下方向へ移動させることができれば、他の構造であってもよいこと、その他本発明の要旨を逸脱しない範囲内において種々変更を加え得ることは勿論である。
【００２０】
【発明の効果】
以上述べた如く、本発明によれば、次の如き優れた効果を発揮する。
（１）複数のトップドライヤドラムと複数のボトムドライヤドラムを上下２段に配列し、トップドライヤドラムとボトムドライヤドラムにエンドレスのキャンバスを交互に掛け回すように当接配置し、湿紙を、トップドライヤドラム及びボトムドライヤドラムとキャンバスとの間を順次通しながら掛け回して搬送するようにしてあるシングルキャンバスドライヤにおける上記キャンバスを撤去した後、上記トップドライヤドラムに保持させるようにしたドラム軸方向に延びるベースフレームと、該ベースフレームにドラム軸方向と上下方向へ移動できるようにドラム軸方向に配列して下向きに組み付けた複数のドリルとを備えた構成を有する穿孔装置を用いることにより、上記ボトムドライヤドラムの周壁部に多数の孔を穿設して、該ボトムドライヤドラムをサクションロールとするので、ボトムドライヤドラムの撤去及び新しいサクションロールの取り付けを行うことなく乾燥能力を向上させることができ、現地工事費を大幅に削減することができる。
（２）上記（１）の構成における周壁部に多数の孔を穿設した後のボトムドライヤドラムの上部位置に、スタビライザを取り付けるようにすることにより、高速運転時の安定性を得ることができ、紙のフラッタリングを防止することができる。
（３）複数のトップドライヤドラムと複数のボトムドライヤドラムを上下２段に配列し、トップドライヤドラムとボトムドライヤドラムにエンドレスのキャンバスを交互に掛け回すように当接配置し、湿紙を、トップドライヤドラム及びボトムドライヤドラムとキャンバスとの間を順次通しながら掛け回して搬送するようにしてあるシングルキャンバスドライヤにおける上記トップドライヤドラムに保持させるようにしたドラム軸方向に延びるベースフレームと、該ベースフレームにドラム軸方向と上下方向へ移動できるようにドラム軸方向に配列して下向きに組み付けた複数のドリルとを備えた構成を有する穿孔装置を用いることにより、ボトムドライヤドラムを取り外すことなくボトムドライヤドラムに複数の孔を同時にあけることができるので、作業を能率よく行うことができる。
【図面の簡単な説明】
【図１】本発明のシングルキャンバスドライヤの改造方法を示すもので、（イ）（ロ）（ハ）はそれぞれ作業手順を示す概略図である。
【図２】本発明のシングルキャンバスドライヤの改造方法の実施に用いる穿孔装置の一例を示す概要図である。
【図３】ドライヤの一例を示すシングルキャンバスドライヤの概略図である。
【符号の説明】
１  トップドライヤドラム
２  ボトムドライヤドラム
３  キャンバス
４  紙（湿紙）
７  穿孔装置
１０  ベースフレーム
２２  ドリル
２５  孔
２６  スタビライザ
【図１】
0003731274.tif 000002
【図２】
0003731274.tif 000003
【図３】
0003731274.tif 000004